(57)【要約】【課題】端子台に設けたねじ端子に容易に接続できる端子台の接続装置を提供する。【解決手段】接続装置１００は端子台７１に並設配置された一組のねじ端子７ｔ・７ｔに接続する。接続装置１００は、端子台７１の両翼に固定する一対の基台２ａ・２ｂ、基台２ａ・２ｂに両端部を支持するスライド軸３、スライド軸３に連結する一つ以上の接続具１０、及び接続具１０を端子台７１に向かって押える押さえ棒４を備える。接続具１０は、ねじ端子７ｔの頭部に接触する突き当てコンタクト１２、ポスト１３、ハウジング１４、及び接続部材（板ばね１６及び連結棒１８）を有する。ポスト１３には、プローブ８ｐ又はクリップ８ｃを係止できる。ハウジング１４は、突き当てコンタクト１２の先端部を一方の面から突出するように配置し、ポスト１３を他方の面に立設する。接続部材は、突き当てコンタクト１２とポスト１３とを電気的に接続する。【選択図】図３
2011021943.tif 000002
【特許請求の範囲】
【請求項１】
電力量計の端部に設けた端子台に並設配置された一組のねじ端子に接続する端子台の接続装置であって、
前記端子台の両翼に固定する一対の基台と、
これらの基台の一方の端部に両端部を支持するスライド軸と、
このスライド軸に一方の端部がスライド可能及び回動可能に連結する一つ以上の接続具と、
前記スライド軸と略平行に配置され、前記接続具の他方の端部を前記端子台に向かって押える押さえ棒と、を備え、
前記接続具は、
一組の前記ねじ端子の頭部に突き当てて接触する一対の突き当てコンタクトと、
プローブ又はクリップが係止可能なポストと、
一対の前記突き当てコンタクトの先端部を一方の面から突出するように配置し、一方の面と反対側の他方の面に前記ポストを立設するハウジングと、
このハウジングに内装され、前記突き当てコンタクトと前記ポストとを電気的に接続する接続部材と、を有する端子台の接続装置。
【請求項２】
前記接続具は、一方の端部が前記スライド軸に着脱自在に連結する請求項１記載の端子台の接続装置。
【請求項３】
一方の前記基台は、前記押さえ棒の一方の端部を回動可能に連結するピンを有し、
他方の前記基台は、前記押さえ棒の他方の端部を当該基台に保持する押さえばねを有する請求項１又は２記載の端子台の接続装置。
【請求項４】
前記接続部材は、前記突き当てコンタクトの基端部を片持ち状に支持する板ばねからなる請求項１から３のいずれかに記載の端子台の接続装置。
【発明の詳細な説明】
【技術分野】
【０００１】
本発明は、端子台の接続装置に関する。特に、電力量計などに備わる端子台の接続装置の構造に関する。
【背景技術】
【０００２】
電力量計は、電力を積算し計量する電気計器である。一般家庭では、交流電力の内、有効電力が積算計量されて、いわゆる電気使用量が計量される。このような電力量計は、本体である電力計測器と端子台から構成されている。そして、端子台には、電源側給電用電線と負荷側給電用電線が接続されている。
【０００３】
上述した電力量計は、定期的又は必要に応じて、電圧が測定されている。この場合、テスタを用いて、プローブの先端を端子台に設けた端子に当接（接触）して、電圧を測定している。
【０００４】
ところで、このような電圧測定は、電力量計が通電状態で実施される。電力量計は、いわゆる活線状態で電圧が測定される。したがって、両手に持ったプローブの先端同士を不用意に接触させると、短絡が発生することがある。
【０００５】
このような不具合を解消するため、測定作業において、頻繁に移動するプローブが瞬時に吸着可能になり、無理な体勢を解消して安全意識に余裕をもち、測定作業が能率アップするプローブが開示されている（例えば、特許文献１参照）。
【０００６】
特許文献１によるプローブは、端子に吸着可能な磁石を取手棒の先端部に設け、磁石の中心から突出する接触棒を進退自在に取手棒に配置している。接触棒は、取手棒に内在する圧縮コイルばねで力を付勢されると共に、取手棒から延在するリード線と電気的に接続している。特許文献１によるプローブは、端子に吸着させて手放した状態を維持できる、としている。
【先行技術文献】
【特許文献】
【０００７】
【特許文献１】特開２００１−３４３３９８号公報
【発明の概要】
【発明が解決しようとする課題】
【０００８】
しかし、特許文献１によるプローブは、端子に吸着する磁石の面積に比較して、取手棒が長く伸長しているので、端子に吸着する状態を維持することが困難と推定される。実態として、特許文献１によるプローブは、端子を奥に設ける穴にその先端部が片持ち状態で保持される場合にのみ適用可能と考えられる。
【０００９】
上述した電力量計は、その端子台に設けたねじ端子がハウジングの隔壁から陥没している。したがって、特許文献１によるプローブをねじ端子に吸着したまま保持することは困難である。
【００１０】
電力量計の端子台に設けたねじ端子に容易に接続でき、かつこの端子台に保持された状態を確実に維持可能な端子台の接続装置を実現できれば、プローブ同士を不用意に接触させることがなく、短絡が防止されて安全に電圧などを測定できる。そして、以上のことが本発明の課題といってよい。
【００１１】
本発明は、このような問題に鑑みてなされたものであり、電力量計の端子台に設けたねじ端子に容易に接続でき、かつこの端子台に保持された状態を確実に維持可能な端子台の接続装置を提供することを目的とする。
【課題を解決するための手段】
【００１２】
本発明者は、カバーを取り付けるための一対の雌ねじを利用して、接続装置を電力量計の端子台に取り付け、一組のねじ端子の頭部に接続可能な一つ以上の接続具をスライド自在に接続装置に連結し、接続具には、プローブ又はクリップが係止可能なポストを設け、このポストが一組のねじ端子と電気的に接続するように構成することにより、この課題が解決可能なことを見出し、これに基づいて、以下のような新たな端子台の接続装置を発明するに至った。
【００１３】
（１）本発明による端子台の接続装置は、電力量計の端部に設けた端子台に並設配置された一組のねじ端子に接続する端子台の接続装置であって、前記端子台の両翼に固定する一対の基台と、これらの基台の一方の端部に両端部を支持するスライド軸と、このスライド軸に一方の端部がスライド可能及び回動可能に連結する一つ以上の接続具と、前記スライド軸と略平行に配置され、前記接続具の他方の端部を前記端子台に向かって押える押さえ棒と、を備え、前記接続具は、一組の前記ねじ端子の頭部に突き当てて接触する一対の突き当てコンタクトと、プローブ又はクリップが係止可能なポストと、一対の前記突き当てコンタクトの先端部を一方の面から突出するように配置し、一方の面と反対側の他方の面に前記ポストを立設するハウジングと、このハウジングに内装され、前記突き当てコンタクトと前記ポストとを電気的に接続する接続部材と、を有する。
【００１４】
（２）前記接続具は、一方の端部が前記スライド軸に着脱自在に連結することが好ましい。
【００１５】
（３）一方の前記基台は、前記押さえ棒の一方の端部を回動可能に連結するピンを有し、他方の前記基台は、前記押さえ棒の他方の端部を当該基台に保持する押さえばねを有することが好ましい。
【００１６】
（４）前記接続部材は、前記突き当てコンタクトの基端部を片持ち状に支持する板ばねからなることが好ましい。
【発明の効果】
【００１７】
本発明によれば、電力量計の端子台には、カバーを取り付けるための一対の雌ねじを利用して、一対の基台を固定し、これらの基台の一方の端部にスライド軸の両端部を支持し、このスライド軸に任意の数の接続具を取り付け、接続具を押さえ棒で押えると、接続具に設けた一対の突き当てコンタクトが一組のねじ端子の頭部に接触する。そして、接続具に設けたポストにプローブ又はクリップを係止して、電圧などを測定できる。
【００１８】
このように、本発明による端子台の接続装置は、電力量計の端子台に設けたねじ端子に容易に接続でき、かつこの端子台に保持された状態を確実に維持接続できる。
【図面の簡単な説明】
【００１９】
【図１】本発明の一実施形態による端子台の接続装置が接続される一実施例による電力量計の構成を示す正面図である。
【図２】前記実施形態による端子台の接続装置の構成を示す正面図である。
【図３】前記実施形態による端子台の接続装置の構成を示す斜視図である。
【図４】前記実施形態による端子台の接続装置の構成を示す右側面図である。
【図５】前記実施形態による端子台の接続装置の構成を示す縦断面図である。
【図６】前記実施形態による端子台の接続装置の構成を示す斜視分解組立図である。
【図７】前記実施形態による端子台の接続装置の構成を示す斜視図であり、図６と異なる角度から端子台の接続装置を観ている。
【発明を実施するための形態】
【００２０】
以下、図面を参照して本発明を実施するための形態を説明する。
【００２１】
最初に、一実施例による電力量計の構成を説明する。図１は、本発明の一実施形態による端子台の接続装置が接続される一実施例による電力量計の構成を示す正面図である。
【００２２】
図１を参照すると、電力量計７は、本体である電力計測器７０と端子台７１から構成されている。電力量計７は、複数の電源側電力線６ａと複数の負荷側電力線６ｂとの間に接続されている。電力量計７は、負荷側の機器に供給された電力量を計量している。
【００２３】
図１において、電力計測器７０は、供給された電力を計測及び積算し、積算した値を電力量として正面側に向けて表示する積算表示手段を含んでいる。具体的には、積算表示手段は、電源側電力線６ａから負荷側電力線６ｂに流れる電流に応じて電力を計測して積算し、積算して得た値を電力量として正面側に向けて表示している。図示された電力計測器７０は、透明なカバーで背面を除く周囲が囲われている。
【００２４】
図１を参照すると、端子台７１は、矩形の絶縁基板上に一組のねじ端子７ｔ・７ｔを並設配置している。又、端子台７１は、一組のねじ端子７ｔ・７ｔを周囲から隔絶する隔壁７ｓ・７ｓを有している。実体として、一対の隔壁７ｓ・７ｓで囲われた凹部の底面に一組のねじ端子７ｔ・７ｔを取り付けている。
【００２５】
なお、並設配置とは、一定の間隔を設けて一列に揃え、並べて配置することを意味している。これらのねじ端子７ｔは、それらの頭部がすり割り付きの低頭となっている。又、端子台７１の両翼には、カバー（図示せず）を取り付けるための一対の雌ねじ７ｆ・７ｆを設けている。
【００２６】
図１を参照すると、端子台７１は、複数の電源側電力線６ａと複数の負荷側電力線６ｂとの間に電力計測器７０とが電気回路として介在するように、これらの電源側電力線６ａ及び負荷側電力線６ｂを接続している。
【００２７】
図１を参照すると、端子台７１は、電源側端子部７ａと負荷側端子部７ｂとに区分している。電源側端子部７ａは、電源側電力線６ａの端末（剥離電線）を一組のねじ端子７ｔ・７ｔをねじ止めして、電気的に接続できる。負荷側端子部７ｂは、負荷側電力線６ｂの端末（剥離電線）を一組のねじ端子７ｔ・７ｔをねじ止めして、電気的に接続できる。
【００２８】
次に、本発明の一実施形態による端子台の接続装置の構成を説明する。図２は、前記実施形態による端子台の接続装置の構成を示す正面図である。図３は、前記実施形態による端子台の接続装置の構成を示す斜視図である。図４は、前記実施形態による端子台の接続装置の構成を示す右側面図である。
【００２９】
図２から図４を参照すると、本発明の実施形態による端子台の接続装置（以下、接続装置と略称する）１００は、端子台７１の両翼に固定される一対の基台２ａ・２ｂを備えている。これらの基台２ａ・２ｂは、端子台７１に設けられた一対の雌ねじ７ｆ・７ｆを利用して、一組のビス７ｃで固定される（図１参照）。
【００３０】
又、図２から図４を参照すると、接続装置１００は、一対の基台２ａ・２ｂの一方の端部に両端部が支持されるスライド軸３を備えている。スライド軸３は、一組のねじ端子７ｔ・７ｔの配列方向と略平行に配置されている。
【００３１】
更に、図２から図４を参照すると、接続装置１００は、一つ以上の接続具１０を備えている。そして、接続具１０の一方の端部は、スライド軸３にスライド可能及び回動可能に連結している。なお、実施形態では、二つの接続具１０を配置している。
【００３２】
図２から図４を参照すると、接続装置１００は、押さえ棒４を備えている。押さえ棒４は、スライド軸３と略平行に配置され、接続具１０の他方の端部を端子台７１に向かって押えることができる。
【００３３】
図２から図４を参照すると、一方の基台２ａは、押さえ棒４の一方の端部を回動可能に連結するピン２ｐを有している。他方の基台２ｂは、押さえ棒４の他方の端部を基台２ｂに保持する押さえばね２ｓを有している。
【００３４】
次に、接続装置１００の構成を補足しながら、接続具１０の構成を説明する。図５は、前記実施形態による端子台の接続装置の構成を示す縦断面図である。図６は、前記実施形態による端子台の接続装置の構成を示す斜視分解組立図である。図７は、前記実施形態による端子台の接続装置の構成を示す斜視図であり、図６と異なる角度から端子台の接続装置を観ている。
【００３５】
図５から図７を参照すると、接続具１０は、一対の棒状の突き当てコンタクト１２・１２を備えている。突き当てコンタクト１２は、その先端部をねじ端子７ｔの頭部に突き当てて接触することができる。
【００３６】
又、図５から図７を参照すると、接続具１０は、ポスト１３、ハウジング１４、カバーハウジング１５を備えている。ポスト１３は、銅合金などの導電性部材からなっている。そして、ポスト１３の基端部１３１には、クリップ８ｃを挟む（係止する）ことができる。例えば、クリップ８ｃの端末は、テスタ（図示せず）に接続されている。
【００３７】
図５から図７を参照すると、ポスト１３の先端部１３２には、すり割り１３ａ付きの挿入開口１３ｂを有している。プローブ８ｐの先端部が挿入開口１３ｂに挿入されて挟着する（係止する）ことができる。例えば、プローブ８ｐの端末は、テスタ（図示せず）に接続されている。更に、ポスト１３の先端部１３２は、伸縮が容易な絶縁性のキャップ１７で覆われている。
【００３８】
図５から図７を参照すると、ハウジング１４は、絶縁性の合成樹脂で成形されている。ハウジング１４は、一方の端部に突出するアーム１４０を有している。アーム１４０には、スライド軸３とスライド可能に連結するガイド穴１４ｃを設けている。ガイド穴１４ｃには、劣弧に開角する開放部１４ｄを設けている。
【００３９】
図５から図７において、スライド軸３から離反する力を接続具１０に付与すると、開放部１４ｄの両翼が開いて（弾性変形して）、接続具１０をスライド軸３から取り外すことができる。
【００４０】
一方、図５から図７において、開放部１４ｄをスライド軸３の外周に当接して、アーム１４０を押し込むと、開放部１４ｄの両翼が開いた後に閉じて（弾性変形して）、接続具１０をスライド軸３に取り付けることができる。このように、接続具１０は、一方の端部をスライド軸３に着脱自在に連結できる。
【００４１】
図５から図７を参照すると、ハウジング１４は、他方の端部に溝１４３を有している。溝１４３は、押さえ棒４の外周が部分的に当接する位置に設けられている。
【００４２】
図７を参照すると、押さえ棒４は、軸部４０の外径より大きな外径を有する段付き軸４１を一方の端部に設けている。段付き軸４１は、相反する向きにある一対の円弧が部分的に平坦にカットされている。この平坦部には、ピン２ｐと回動可能に連結する軸穴（図示せず）を設けている。
【００４３】
一方、図７を参照すると、基台２ａは、段付き軸４１の平坦部を挟持する一対の支承部２ｄ・２ｄを突出している。そして、ピン２ｐが一対の支承部２ｄ・２ｄに圧入されて、押さえ棒４を回動可能に連結している（図３参照）。
【００４４】
図６を参照すると、押さえ棒４は、軸部４０の外径より大きな外径を有する段付き軸４２を他方の端部に設けている。一方、押さえばね２ｓは、その先端部を円弧に形成している。そして、押さえばね２ｓの先端部が段付き軸４２を基台２ｂに押えて付けている。
【００４５】
図６を参照すると、押さえばね２ｓの基端部は、リベット２ｃで基台２ｂに固定されている。段付き軸４２を強い力で引くと、段付き軸４２が押さえばね２ｓから開放される。押さえばね２ｓの先端部を持ち上げて、段付き軸４２を挿入すると、押さえ棒４の他方の端部を基台２ｂに保持できる（図３参照）。
【００４６】
図５から図７を参照すると、ハウジング１４は、一方の面１４１に開口して、他方の面１４２に貫通する一対の貫通穴１４ａ・１４ａを有している。貫通穴１４ａは、突き当てコンタクト１２を絶縁可能に囲っている。そして、ハウジング１４の一方の面１４１は、一組のねじ端子７ｔ・７ｔの頭部に当接できる。
【００４７】
図５から図７を参照すると、カバーハウジング１５は、絶縁性の合成樹脂からなり、図示されたような矩形の板状に成形されている。そして、カバーハウジング１５は、その一方の面１５１から突出する一対の鉤状のランス１５ｂ・１５ｂを両側部に設けている。一方、ハウジング１４は、一対のランス１５ｂ・１５ｂが係合可能な一対のラッチ部１４ｂ・１４ｂを両側部に設けている。
【００４８】
図５から図７を参照すると、一対のラッチ部１４ｂ・１４ｂに一対のランス１５ｂ・１５ｂを係合させて、ハウジング１４とカバーハウジング１５とを結合できる。ハウジング１４は、分離が困難な、いわゆる「はめ殺し」で、カバーハウジング１５が組み立てられる。
【００４９】
図５から図７を参照すると、接続具１０は、板ばね１６と連結棒１８を備えている。板ばね１６は、その両端部が一対の突き当てコンタクト１２・１２の基端部を片持ち状に支持している。実施形態では、突き当てコンタクト１２の基端部は、板ばね１６の端部に「かしめ付け」で固定している。板ばね１６は、突き当てコンタクト１２に所定の接触圧力を付勢することができる。
【００５０】
図５から図７を参照すると、板ばね１６の中央部は、連結棒１８の一方の端面にスポット溶接で固定されている。そして、一対の突き当てコンタクト１２・１２、板ばね１６、及び連結棒１８を一体に構成している。
【００５１】
一方、図５から図７を参照すると、連結棒１８の他方に設けた軸棒は、カバーハウジング１５の他方の面１５２に突出しており、ポスト１３の基端部１３１に設けた穴１３ｃに圧入されている。ここで、ハウジング１４は、カバーハウジング１５を含むものとして考えることができ、ハウジング１４は、ポスト１３を他方の面１５２に立設している、とすることができる。
【００５２】
図５から図７を参照すると、一対の突き当てコンタクト１２・１２、板ばね１６、及び連結棒１８は、銅合金などの導電性部材からなり、ハウジング１４に内装され、一対の突き当てコンタクト１２・１２とポスト１３とを電気的に接続する接続部材とすることができる。
【００５３】
次に、本発明の実施形態による接続装置１００の動作を説明しつつ、接続装置１００の作用を説明する。
【００５４】
図１を参照して、予め、端子台７１を覆うカバー（図示せず）を電力量計７から取り外しておく。図３を参照して、最初に、接続装置１００を端子台７１に固定する。端子台７１に設けられた一対の雌ねじ７ｆ・７ｆを利用して、一対の基台２ａ・２ｂを一組のビス７ｃ・７ｃで固定する。
【００５５】
図５又は図６を参照すると、接続具１０は、一組のねじ端子７ｔ・７ｔの頭部に接触する一対の突き当てコンタクト１２・１２をハウジング１４の一方の端部に設けている。更に、接続具１０は、プローブ８ｐ又はクリップ８ｃが係止可能なポスト１３をハウジング１４の他方の端部に設けている。
【００５６】
図５は、突き当てコンタクト１２がねじ端子７ｔの頭部に当接して、板ばね１６が弾性変形した状態を示している。図５を参照すると、接続具１０は、スライド軸３を回動中心として、反時計方向に回動する力（反作用）が付勢されている。
【００５７】
一方、図５を参照すると、ハウジング１４の他方の端部は、押さえ棒４に当接しており、接続具１０を反時計方向に回動する運動が阻止される。したがって、突き当てコンタクト１２は、ねじ端子７ｔに所定の接触圧力を付与することができる。
【００５８】
図５から図７を参照すると、接続具１０は、ポスト１３をねじ端子７ｔの頭部を囲う凹部２４ａから突出する突き当てコンタクト１２と電気的に接続するように構成しているので、端子台７１に設けたねじ端子７ｔに容易に接続できる。又、接続具１０は、端子台７１に保持された状態を確実に維持できるので、プローブを把持してねじ端子７ｔに接続する必要が無くなる。したがって、プローブ同士を不用意に接触させことがなく、短絡が防止される。
【００５９】
図２を参照すると、一方の接続具１０は、中央の電源側電力線６ａに接続する一組のねじ端子７ｔ・７ｔに接続している。他方の接続具１０は、中央の負荷側電力線６ｂに接続する一組のねじ端子７ｔ・７ｔに接続している。
【００６０】
図３を参照して、押さえ棒４を開くと、接続具１０は、スライド軸３を回動中心として、反時計方向に回動できる（図５参照）。そして、図２を参照すると、スライド軸３に案内されて、接続具１０を列方向に移動できる。例えば、図２において、接続具１０を隣接する一組のねじ端子７ｔ・７ｔに接続できる。
【００６１】
本発明の実施形態によれば、電力量計７の端子台には、カバー（図示せず）を取り付けるための一対の雌ねじ７ｆ・７ｆを利用して、一対の基台２ａ・２ｂを固定している。又、一対の基台２ａ・２ｂの一方の端部にスライド軸３の両端部を支持している。
【００６２】
スライド軸３に任意の数の接続具１０を取り付け、接続具１０を押さえ棒４で押えると、接続具１０に設けた一対の突き当てコンタクト１２が一組のねじ端子の頭部に接触する。そして、接続具１０に設けたポスト１３にプローブ８ｐ又はクリップ８ｃを係止して、電圧などを測定できる。
【００６３】
このように、本発明の実施形態による接続装置１００は、電力量計７の端子台７１に設けたねじ端子７ｔに容易に接続でき、かつ端子台７１に保持された状態を確実に維持接続できる。
【００６４】
又、図５から図７を参照すると、本発明の実施形態による接続装置１００は、接続具１０の一方の端部をスライド軸３に着脱自在に連結できるように構成している。したがって、接続装置１００を端子台７１に固定した後に（図３参照）、接続具１０を取り外すこともでき、接続具１０を追加することもできる。
【００６５】
図５から図７を参照すると、本発明の実施形態による接続装置１００は、接続具１０はスライド可能なので、容易に位置調整を行えるという効果がある。
【００６６】
又、図５から図７を参照すると、接続具１０は、突き当てコンタクト１２の基端部を片持ち状に支持する板ばね１６を備えているので、この板ばね１６を適宜に設計すれば、ねじ端子７ｔとの所定の接触圧力を付与することができる。
【００６７】
なお、図５は、突き当てコンタクト１２がねじ端子７ｔの頭部に当接して、板ばね１６が弾性変形した状態を示している。接続具１０を端子台７１から離間させると、突き当てコンタクト１２の先端部がハウジング１４の一方の面１４１から僅かに突出する、初期の状態に復帰できる。
【００６８】
更に、図５から図７を参照すると、ポスト１３は、プローブ８ｐの先端部が挿入されて挟着するすり割り１３ａ付きの挿入開口１３ｂを先端部に有するので、プローブ８ｐを把持すことなく、プローブ８ｐが接続具１０に保持されて、ねじ端子７ｔに接続できる。
【００６９】
図３から図５を参照すると、本発明の実施形態による接続具１０は、プローブ８ｐのみならず、ポスト１３にクリップ８ｃを係止できる。本発明の実施形態による接続装置１００は、カバーを取り付けるための一対の雌ねじ７ｆ・７ｆを利用して、端子台７１に取り付け、一組のねじ端子７ｔ・７ｔの頭部に接続可能な一つ以上の接続具１０をスライド自在に接続装置１００に連結し、従来のプローブと比較して保持力が優れ、プローブ８ｐ又はクリップ８ｃをポスト１３に係止できる。本発明の実施形態による接続具１０は、プローブ８ｐとクリップ８ｃの双方をポスト１３に係止することもできる。
【００７０】
又、図５から図７を参照すると、接続具１０は、ポスト１３の先端部を覆う絶縁性のキャップ１７を更に備えるので、不要な感電を防止できるので安全である。
【００７１】
図２又は図３を参照すると、本発明の実施形態による接続装置１００は、測定対象となる一組のねじ端子７ｔ・７ｔに対応して接続具１０を配置している。つまり、図示された接続装置１００は、接続具１０を２箇所に配置している。
【００７２】
しかし、本発明の実施形態による接続装置１００は、全て（実施例では６箇所）の一組のねじ端子７ｔ・７ｔに対応して接続具１０を配置することもできる。そして、測定対象となるねじ端子７ｔ・７ｔに対応する接続具１０を介して電圧などを測定できる。
【００７３】
図５から図７を参照すると、上記の場合、全ての接続具１０に設けたポスト１３は、絶縁性のキャップ１７で被覆されているので、電力量計が通電状態であっても、作業員の不作為による短絡を防止できる。
【００７４】
又、本発明の実施形態による接続装置１００を利用して、電力量計が通電状態であっても、ねじ端子７ｔを安全にねじ止め又は解放することができる。この場合、ドライバで操作される以外の一組のねじ端子７ｔ・７ｔに対応する箇所に接続具１０を配置すれば、この接続具１０は、絶縁性のキャップ１７で被覆されているので、作業員の不作為による短絡を防止できる。
【符号の説明】
【００７５】
２ａ・２ｂ  一対の基台
３  スライド軸
４  押さえ棒
７  電力量計
７ｔ  ねじ端子
８ｃ  クリップ
８ｐ  プローブ
１０  接続具
１２  突き当てコンタクト
１３  ポスト
１４  ハウジング
１６  板ばね（接続部材）
１８  連結棒（接続部材）
１００  接続装置
【図１】
2011021943.tif 000003
【図２】
2011021943.tif 000004
【図３】
2011021943.tif 000005
【図４】
2011021943.tif 000006
【図５】
2011021943.tif 000007
【図６】
2011021943.tif 000008
【図７】
2011021943.tif 000009